(57)【要約】【課題】用紙のサイズによらず位置調整を行う。【解決手段】搬送される用紙Ｅを沿わせる載置面２１ａを有する載置部２１と、載置部２１に対してＸ方向に沿って移動可能に設けられて載置面２１ａに載置された用紙ＥのＸ方向の位置を調整するため用紙Ｅの端部と当接する当接部２２ａと、を備える位置調整装置であって、当接部２２ａは、載置面２１ａより載置面２１ａに載置された用紙Ｅ側に設けられた基部２２ｂと、載置面２１ａに載置された用紙Ｅに対して載置部２１側に延設された延設部２２ｃと、を備え、当接部２２ａが載置面２１ａの縁の内側に位置する用紙Ｅと当接する場合、延設部２２ｃと載置部２１との当接により基部２２ｂに対する延設部２２ｃの位置を変化させて載置面２１ａの縁の内側に基部２２ｂを移動させ、基部２２ｂと載置面２１ａに載置された用紙とを当接させる。【選択図】図５
2013018579.tif 000002
【特許請求の範囲】
【請求項１】
搬送される用紙を沿わせる載置面を有する載置部と、前記載置部に対して前記用紙の搬送方向に直交する方向であって前記載置面に沿う方向に沿って移動可能に設けられて前記載置面に載置された前記用紙の搬送方向に直交する方向の位置を調整するため前記用紙の端部と当接する当接部と、を備える位置調整装置であって、
前記当接部は、
前記載置面より前記載置面に載置された前記用紙側に設けられた基部と、
前記載置面に載置された前記用紙に対して前記載置部側に延設された延設部と、を備え、
前記当接部が前記載置面の縁の内側に位置する前記用紙と当接する場合、前記延設部と前記載置部との当接により前記基部に対する前記延設部の位置を変化させて前記載置面の縁の内側に前記基部を移動させ、当該基部と前記載置面に載置された前記用紙とを当接させることを特徴とする位置調整装置。
【請求項２】
前記当接部は、前記延設部を前記基部に対して回動可能に支持する回動部を備え、前記延設部と前記載置部との当接により前記回動部に作用する回動力によって前記延設部を前記基部に対して回動させて前記載置面より前記載置面に載置された前記用紙側に位置を変化させることを特徴とする請求項１に記載の位置調整装置。
【請求項３】
前記延設部は、前記当接部の移動方向について前記載置面の縁の外側に位置する前記用紙の端部を前記載置面と同一平面上で担持する担持面を備えることを特徴とする請求項１又は２に記載の位置調整装置。
【請求項４】
前記延設部と前記載置部との当接が解消された場合、前記延設部を前記延設部が前記載置部と当接する前の位置に戻すように前記延設部を付勢する付勢部を備えることを特徴とする請求項１から３のいずれか一項に記載の位置調整装置。
【請求項５】
請求項１から４のいずれか一項に記載の位置調整装置と、
前記位置調整装置により位置を調整された用紙に対して所定の用紙処理を施す用紙処理部と、
を備えることを特徴とする用紙処理装置。
【請求項６】
前記所定の用紙処理は、綴じ、穴あけ、用紙の折り及び裁断のいずれか一つ以上を含むことを特徴とする請求項５に記載の用紙処理装置。
【請求項７】
用紙に対して画像を形成する画像形成部と、
前記画像形成部により画像が形成された用紙を用紙処理装置に搬送する搬送部と、
前記請求項５又は６に記載の用紙処理装置と、
を備えることを特徴とする画像形成装置。
【発明の詳細な説明】
【技術分野】
【０００１】
本発明は、位置調整装置、用紙処理装置及び画像形成装置に関する。
【背景技術】
【０００２】
従来、重畳された複数の用紙に対して綴じや穴あけ等の所定の用紙処理を施す用紙処理装置が知られている。かかる用紙処理装置は、所定の用紙処理を加える装置に対して用紙の位置を調整するための位置調整装置を有している（例えば、特許文献１）。
【先行技術文献】
【特許文献】
【０００３】
【特許文献１】特開２００９−２９６３０号公報
【発明の概要】
【発明が解決しようとする課題】
【０００４】
しかしながら、従来の位置調整装置２００は、位置の調整が可能な用紙のサイズが限られる問題点があった。
図７（ａ）、（ｂ）に、従来の位置調整装置２００の構成を示す。
図７（ａ）に示すように、従来の位置調整装置２００は、用紙Ｅを載置する載置部２０１と、載置面に対して用紙Ｅの搬送方向に直交する方向（図７に示すＸ方向）に沿って移動可能に設けられた当接部２０２を備えている。従来の位置調整装置２００は、載置部２０１に沿うよう重畳された用紙Ｅの位置を調整する場合、当接部２０２を移動させて用紙ＥのＸ方向の両端に当接させることにより、用紙Ｅの位置を調整し、複数の用紙Ｅを揃える。
ここで、当接部２０２の一部は、載置部２０１の載置面よりも載置部２０１側（図７の下方）に延設されているので、当接部２０２は載置部２０１の内側に移動することができない。このため、図７（ｂ）に示すように、当接部２０２は載置部２０１の縁よりも内側に収まるサイズの用紙Ｅに対して当接することができず、用紙ＥのＸ方向の位置調整を行うことができないこととなり、複数の用紙Ｅを揃えることができない。
【０００５】
本発明の課題は、用紙のサイズによらず位置調整を行うことができる位置調整装置、用紙処理装置及び画像形成装置を提供することである。
【課題を解決するための手段】
【０００６】
請求項１に記載の発明は、搬送される用紙を沿わせる載置面を有する載置部と、前記載置部に対して前記用紙の搬送方向に直交する方向であって前記載置面に沿う方向に沿って移動可能に設けられて前記載置面に載置された前記用紙の搬送方向に直交する方向の位置を調整するため前記用紙の端部と当接する当接部と、を備える位置調整装置であって、前記当接部は、前記載置面より前記載置面に載置された前記用紙側に設けられた基部と、前記載置面に載置された前記用紙に対して前記載置部側に延設された延設部と、を備え、前記当接部が前記載置面の縁の内側に位置する前記用紙と当接する場合、前記延設部と前記載置部との当接により前記基部に対する前記延設部の位置を変化させて前記載置面の縁の内側に前記基部を移動させ、当該基部と前記載置面に載置された前記用紙とを当接させることを特徴とする。
【０００７】
請求項２に記載の発明は、請求項１に記載の位置調整装置であって、前記当接部は、前記延設部を前記基部に対して回動可能に支持する回動部を備え、前記延設部と前記載置部との当接により前記回動部に作用する回動力によって前記延設部を前記基部に対して回動させて前記載置面より前記載置面に載置された前記用紙側に位置を変化させることを特徴とする。
【０００８】
請求項３に記載の発明は、請求項１又は２に記載の位置調整装置であって、前記延設部は、前記当接部の移動方向について前記載置面の縁の外側に位置する前記用紙の端部を前記載置面と同一平面上で担持する担持面を備えることを特徴とする。
【０００９】
請求項４に記載の発明は、請求項１から３のいずれか一項に記載の位置調整装置であって、前記延設部と前記載置部との当接が解消された場合、前記延設部を前記延設部が前記載置部と当接する前の位置に戻すように前記延設部を付勢する付勢部を備えることを特徴とする。
【００１０】
請求項５に記載の発明は、用紙処理装置であって、請求項１から４のいずれか一項に記載の位置調整装置と、前記位置調整装置により位置を調整された用紙に対して所定の用紙処理を施す用紙処理部と、を備えることを特徴とする。
【００１１】
請求項６に記載の発明は、請求項５に記載の用紙処理装置であって、前記所定の用紙処理は、綴じ、穴あけ、用紙の折り及び裁断のいずれか一つ以上を含むことを特徴とする。
【００１２】
請求項７に記載の発明は、画像形成装置であって、用紙に対して画像を形成する画像形成部と、前記画像形成部により画像が形成された用紙を用紙処理装置に搬送する搬送部と、前記請求項５又は６に記載の用紙処理装置と、を備えることを特徴とする。
【発明の効果】
【００１３】
本発明によれば、用紙のサイズによらず位置調整を行うことができる。
【図面の簡単な説明】
【００１４】
【図１】本実施形態における画像形成装置の概要構成図を示す図である。
【図２】載置部及び調整部の詳細構成の一例を示す図である。
【図３】図２に示す載置部及び調整部のＸ−Ｚ平面図である。
【図４】当接部が所定方向について載置面の縁の内側に位置する用紙と当接している場合のＸ−Ｙ平面図である。
【図５】当接部が所定方向について載置面の縁の内側に位置する用紙と当接している場合のＸ−Ｚ平面図である。
【図６】画像形成装置の機能ブロック図である。
【図７】従来の位置調整装置の構成を示す図である。
【発明を実施するための形態】
【００１５】
以下、本発明の一実施形態である画像形成装置１００について、図面を用いて詳細に説明する。なお、実施形態は本発明の一例であり、これに限定されるものではない。
【００１６】
図１に、本実施形態における画像形成装置１００の概要構成図を示す。
図１に示すように、画像形成装置１００は、本体部１０と、用紙処理装置２０とを有する。
本体部１０は、例えば複写機、プリンタ、ファクシミリ及びこれらの諸機能を有する複合機である。また、本体部１０は、電子写真方式により画像を形成した用紙Ｅを用紙処理装置２０に供給する。用紙処理装置２０は、本体部１０から供給された用紙Ｅに所定の用紙処理（例えば、綴じ）を施すフィニッシャーである。以下、各部の構成について詳細に説明する。
【００１７】
本体部１０は、例えば、読取部１、画像形成部２、給紙部３、搬送部４を備える。
読取部１は、給紙台１ａ、搬送機構（図示略）等を有し、給紙台１ａに載置された用紙Ｅを搬送機構により１枚ずつ下流に搬送する。
読取部１は、透明なコンタクトガラス１ｂの下部にＣＣＤ１ｃや光源１ｄを備え、ＣＣＤ１ｃ等を駆動制御して、コンタクトガラス１ｂに載置された原稿Ｄの画像データを読取る。具体的には原稿Ｄを光源１ｄからの照明により走査し、その反射光をＣＣＤ１ｃにより結像して光電変換することにより画像データを生成する。
【００１８】
画像形成部２は、回転可能に設けられた感光ドラム２ａの周囲に露光部２ｂ、現像部２ｃ、定着部２ｄ等を備える。露光部２ｂは光源を備え、電子写真方式により用紙Ｅに画像を形成する。画像形成された用紙Ｅは用紙処理装置２０に供給される。
【００１９】
給紙部３は、用紙Ｅが収容又は載置される複数の給紙トレイ３ａと手差しトレイ３ｂとを備えている。給紙トレイ３ａ、手差しトレイ３ｂに収容又は載置された用紙Ｅはそれぞれ搬送経路４ａ又は搬送経路４ｂを介して画像形成部２に供給される。なお、給紙トレイ３ａには、通常、用紙Ｅの用紙サイズごとに分けて用紙Ｅが格納されている。用紙サイズには、ＪＩＳ規格によるＡ３、Ａ４、Ｂ５、Ｂ４等複数のサイズがある。例えば、Ａ３とＡ４とが混在した冊子が作成される場合には、異なる給紙トレイ３ａから用紙Ｅが給紙されることとなる。
【００２０】
搬送部４は搬送経路４ａ、４ｂ、４ｃ、４ｄおよび搬送ローラ（図示省略）等から構成される。用紙Ｅは、給紙部３から搬送経路４ａ、４ｂに沿って画像形成部２内の各部に搬送され、画像形成部２から搬送経路４ｃ、４ｄに沿って画像形成された用紙Ｅが用紙処理装置２０に供給される。
【００２１】
次に、用紙処理装置２０について説明する。
用紙処理装置２０は、載置部２１と、調整部２２と、用紙処理部２３と、搬送ローラ２４とを備える。
【００２２】
図２に、位置調整装置として機能する載置部２１及び調整部２２の詳細構成の一例を示す。
図２及び以下の説明において、載置部２１にスタックされた用紙Ｅの搬送方向に沿った方向をＹ方向、Ｙ方向に沿う方向であって載置部２１の載置面２１ａに直交する方向をＸ方向とする。
また、Ｘ方向及びＹ方向に直交する方向をＺ方向とする。図２に示す載置部２１及び調整部２２のＸ−Ｚ平面図を図３に示す。
【００２３】
載置部２１は、搬送部４により搬送された用紙Ｅをスタックする。
載置部２１は、載置面２１ａ、係止部２１ｂ、当接ローラ２１ｃを備える。
載置面２１ａは、用紙処理装置に搬送された用紙Ｅを沿わせるよう設けられた平面である。
係止部２１ｂは、載置面２１ａに対して直交するよう設けられて載置面２１ａに沿った用紙Ｅの排出方向の一端（図２に示すＹ方向の下端）を係止する。
即ち、載置部２１の載置面２１ａと係止部２１ｂとが協働して用紙Ｅを係止する。
【００２４】
ここで、Ｙ方向の用紙Ｅの端部（縁）は、一方が係止部２１ｂに係止されることにより位置を調整される。よって、載置部２１に複数の用紙Ｅが重畳されてスタックされていた場合、複数の用紙Ｅは、係止部２１ｂに係止されることにより、複数の用紙ＥのＹ方向の端部の縁がＺ方向に沿って揃うように位置を調整される。
【００２５】
当接ローラ２１ｃは、載置部２１のＸ方向に沿った両端に設けられ、Ｙ方向に沿った回転軸を中心に回転可能に設けられたローラである。当接ローラ２１ｃは、後述する調整部２２の延設部２２ｃと当接することにより回転し、延設部２２ｃの移動を促す。
【００２６】
調整部２２は、載置部２１に載置された用紙Ｅの位置を所定の位置に調整する。
具体的には、調整部２２は、載置部２１に対して用紙Ｅの搬送方向に直交する方向であって載置面２１ａに沿う方向（図２に示すＸ方向）に沿って移動可能に設けられて載置面２１ａに載置された用紙Ｅの搬送方向に直交する方向（図２に示すＸ方向）の位置を所定の位置に調整するため用紙Ｅと当接する二つの当接部２２ａを有する。
【００２７】
二つの当接部２２ａは、載置部２１にスタックされた用紙ＥをＸ方向に沿った両端から挟み込むように設けられ、夫々が載置部２１に対してＸ方向に沿って近接又は離隔する方向に移動可能に設けられている。即ち、二つの当接部２２ａは、載置部２１にスタックされた用紙Ｅを挟んでＸ方向に沿って互いに近接又は離隔する移動を行う。具体的には、調整部２２は、二つの当接部２２ａの夫々をＸ方向に沿って移動可能に支持するガイド部材２２ｅを有する。
また、図２、図３に示すように、当接部２２ａは、Ｙ−Ｚ平面に沿った平面形状を有し、当該平面形状により、用紙Ｅとの当接時に用紙ＥのＸ方向に沿った両端の縁をＹ方向に沿わせる。
【００２８】
図２、図３に示すように、二つの当接部２２ａは、Ｘ方向に沿って移動することにより、載置面２１ａに沿う用紙ＥのＸ方向の両端と当接する。当該当接により、調整部２２は、載置部２１に対する用紙ＥのＸ方向の位置を調整する。
このように、載置部２１及び調整部２２は協働により、用紙Ｅの位置調整装置として機能する。
【００２９】
ここで、二つの当接部２２ａのＸ方向に沿った位置は、用紙処理装置２０の制御部２５（図６参照）の制御により決定される。制御部２５は、載置部２１にスタックされた用紙ＥのＸ方向の大きさに対応する位置に二つの当接部２２ａを移動させる。これにより、二つの当接部２２ａどうしのＸ方向の間隔は、載置部２１にスタックされた用紙ＥのＸ方向の幅に対応した間隔となる。用紙Ｅは、二つの当接部２２ａの間に収まるように位置を調整されることにより、載置部２１に対するＸ方向の位置が定まる。また、載置部２１に複数の用紙Ｅが重畳されてスタックされていた場合、複数の用紙Ｅは、二つの当接部２２ａに挟まれるように当接することにより、Ｙ方向に沿った複数の用紙Ｅの縁がＺ方向に沿って揃うように位置を調整される。
【００３０】
また、図２、図３に示すように、当接部２２ａは、基部２２ｂ、延設部２２ｃ、回動部２２ｇ、付勢部２２ｄ等を有する。
基部２２ｂは、載置面２１ａより載置面に載置された用紙Ｅ側に位置するよう設けられる。即ち、基部２２ｂは、当接部２２ａのＸ方向の位置によらず、載置部２１と当接しない。
【００３１】
延設部２２ｃは、Ｘ方向について載置面２１ａの縁の外側に位置する用紙Ｅの端部を載置面２１ａと同一平面上で担持する担持面２２ｆを備える。
仮に、延設部２２ｃによる用紙Ｅの担持がなされない場合、載置面２１ａの縁の外側に位置する用紙Ｅは重力により垂れ下がるように湾曲し、Ｘ−Ｙ平面に沿わない状態となる。延設部２２ｃは、担持面２２ｆが当接部２２ａの基部２２ｂに対してほぼ直交する角度を取り、かつ、基部２２ｂから載置部２１に向かって延設される位置を取ることにより、載置面２１ａとほぼ同一平面で載置面２１ａの縁の外側に位置する用紙Ｅの端部付近の面部と当接し、用紙Ｅの端部を担持する。
【００３２】
また、延設部２２ｃは、載置面２１ａに載置された用紙Ｅに対して載置部２１側に延設される。即ち、延設部２２ｃは、Ｘ方向について載置面２１ａの縁の内側に位置する用紙Ｅと当接する場合、載置部２１と当接する。
【００３３】
また、当接部２２ａは、Ｘ方向について載置面２１ａの縁の内側に位置する用紙Ｅと当接する場合、延設部２２ｃと載置部２１との当接により基部２２ｂに対する延設部２２ｃの位置を変化させ、基部２２ｂと載置面２１ａに載置された用紙Ｅとを当接させる。
図４に、当接部２２ａがＸ方向について載置面２１ａの縁の内側に位置する用紙Ｅと当接している場合のＸ−Ｙ平面図の一例を示す。なお、図４では、延設部２２ｃの移動後の位置を示すため、調整部２２の一部を切り欠いた状態で示している。
また、図５に、当接部２２ａがＸ方向について載置面２１ａの縁の内側に位置する用紙Ｅと当接している場合のＸ−Ｚ平面図の一例を示す。
【００３４】
回動部２２ｇは、図５に示すように、延設部２２ｃを基部２２ｂに対して回動可能に支持し、延設部２２ｃと載置部２１との当接により回動部２２ｇに作用する回動力によって延設部２２ｃを基部２２ｂに対して回動させて載置面２１ａより載置面２１ａに載置された用紙Ｅ側に位置を変化させる。これにより、延設部２２ｃは、載置部２１と当接することにより、載置面２１ａに沿って載置部２１から退避するように移動し、載置面２１ａに沿う位置に移動することとなる。
延設部２２ｃは、当接部２２ａが載置面２１ａの縁の内側に位置する用紙Ｅと当接するために載置部２１に近接するよう移動することに伴い当接ローラ２１ｃと当接する。当接ローラ２１ｃは、延設部２２ｃと当接すると、受動的に回転することにより延設部２２ｃの載置面２１ａ側への移動を促す。
【００３５】
付勢部２２ｄは、延設部２２ｃと載置部２１との当接が解消された場合、延設部２２ｃを移動前の位置に戻す方向に延設部２２ｃを付勢する。
付勢部２２ｄは、例えば、図３に示すように、基部２２ｂと延設部２２ｃとの間に介在するように設けられた弾性部材であり、延設部２２ｃが載置面２１ａの縁の外側に位置する用紙Ｅの端部を載置面２１ａと同一平面上で担持する角度となるよう付勢、保持する。
延設部２２ｃは、載置部２１との当接が解消されると、付勢部２２ｄの付勢により移動前の位置に戻る。
【００３６】
用紙処理部２３は、載置部２１にスタックされて調整部２２により位置を調整された用紙Ｅに対して所定の用紙処理を施す。
所定の用紙処理とは、例えば、複数の用紙Ｅを纏めて綴じるステープル処理である。本実施形態の用紙処理部２３は、載置部２１にスタックされて調整部２２によりＸ方向の位置が調整された複数の用紙Ｅに対してコの字型の針を貫通させて針の先端部分をコの字の内側に向けてＸ−Ｙ平面にほぼ沿うように曲げることにより、複数の用紙Ｅを綴じる。
【００３７】
用紙処理部２３は、載置部２１に対して所定の間隔を隔て、載置面２１ａに対向する位置で固定されている。
ここで、上記のように、載置部２１及び調整部２２は、載置面２１ａに沿った用紙Ｅの位置を調整する。即ち、載置部２１及び調整部２２の協働により、用紙処理装置２０に搬送された用紙Ｅは、用紙処理部２３に対する位置を調整されることとなる。
【００３８】
搬送ローラ２４は、用紙処理部２３により処理を施された後の用紙Ｅ又は複数の用紙Ｅの束を排紙トレイ２４ａに排出する他、搬送部４により搬送された用紙Ｅを載置部２１の載置面２１ａに沿わせるよう搬送する等、用紙処理装置２０内における用紙Ｅの搬送を行う。
【００３９】
図６に、画像形成装置１００の機能ブロック図を示す。
画像形成装置１００は、上記の読取部１、画像形成部２、給紙部３、搬送部４に加えて、通信部５、画像処理部６、操作表示部７等を本体部１０に備える。
【００４０】
通信部５は、図６に示すＰＣ等の外部の機器との間で通信を行い、画像データ等の各種のデータを取得する。
通信部５は、例えば、所定の規格に基づく通信を行うためのネットワークインタフェースカード（Network Interface Card：ＮＩＣ）や、通信を介して取得された画像データ等の各種データを記憶するＲＡＭ及び当該ＲＡＭの記憶内容を制御するための集積回路（Integrated Circuit：ＩＣ）等を有する。所定の規格に基づく通信とは、例えば、イーサネット（登録商標）等であるが、一例であり、これに限られるものではなく、現在又は将来採用される他の通信規格を用いることを妨げない。
【００４１】
画像処理部６は、例えば、ＣＰＵ６ａ、ＲＡＭ６ｂ、ＲＯＭ６ｃ等を有し、ＲＯＭ６ｃや図示しない記憶装置等に記憶されたソフトウェア及び各種のデータ等を読み出して処理し、画像形成装置１００による画像形成に係る各種の処理を行う。画像処理部６は、例えば、読取部１や通信部５を介して取得された画像データに対してラスタライズ処理等の各種の画像処理を施し、画像形成部２に出力する。また、画像処理部６は、読取部１、画像形成部２、給紙部３、搬送部４、通信部５等の本体部１０の各部の動作制御を行う。
【００４２】
操作表示部７は、例えば、液晶ディスプレイ又は有機エレクトロルミネッセンス（Electro-Luminescence：ＥＬ）ディスプレイ等による表示部７ａを有し、画像処理部６の処理内容に応じた各種の表示出力を行う。また、操作表示部７は、表示部７ａの表示領域に対する入力操作（例えば、接触や近接）を検知し、入力操作が検知された位置（座標）を示す検知信号を画像処理部６に入力する操作部７ｂを有する。画像処理部６は、検知信号により示された位置と当該位置に対応する表示部７ａの表示内容とを対応付けてユーザによる入力操作を受け付ける。操作表示部７は、操作部７ｂに限らず、各種の入力のためのスイッチやボタン等を有していてもよい。
【００４３】
また、画像形成装置１００は、上記の載置部２１、調整部２２、用紙処理部２３、搬送ローラ２４に加えて、用紙処理装置２０に制御部２５等を備える。
制御部２５は、例えば、ＣＰＵ２５ａ、ＲＡＭ２５ｂ、ＲＯＭ２５ｃ等を有し、ＲＯＭ２５ｃや図示しない記憶装置等に記憶されたソフトウェア及び各種のデータ等を読み出して処理し、用紙処理装置２０の動作に係る各種の処理を行う。
例えば、制御部２５は、搬送部４により搬送された用紙のサイズに応じて調整部２２の二つの当接部２２ａどうしの間隔及び載置部２１に対する二つの当接部２２ａの夫々の位置を決定し、決定された間隔及び位置となるよう調整部２２の動作を制御する。
【００４４】
また、本体部１０と用紙処理装置２０とはデータの送受信により連携した動作を行うよう設けられている。例えば、本体部１０及び用紙処理装置２０は、夫々が有するインターフェースＩＦを介して接続されており、画像処理部６と制御部２５とがインターフェースＩＦを介してデータの送受信を行い、連携した動作を行う。
【００４５】
以上、本実施形態の画像形成装置１００によれば、当接部２２ａが載置面２１ａの縁の内側に位置する用紙Ｅと当接する場合、延設部２２ｃと載置部２１との当接により基部２２ｂに対する延設部２２ｃの位置を変化させて載置面２１ａの縁の内側に基部２２ｂを移動させ、基部２２ｂと載置面２１ａに載置された用紙とを当接させるので、当接部２２ａと載置部２１との当接による当接部２２ａのＸ方向の移動範囲の制限を受けることなく載置面２１ａの縁の内側に当接部２２ａを進入させることができ、載置面２１ａの縁の内側に位置する用紙Ｅと当接して用紙Ｅの位置調整を行うことができる。即ち、用紙のサイズによらず位置調整を行うことができる。
【００４６】
また、当接部２２ａは、延設部２２ｃを基部２２ｂに対して回動可能に支持する回動部２２ｇを備え、延設部２２ｃと載置部２１との当接により回動部２２ｇに作用する回動力によって延設部２２ｃを基部２２ｂに対して回動させて載置面２１ａより載置面２１ａに載置された用紙Ｅ側に位置を変化させるので、延設部２２ｃが移動することにより当接部２２ａと載置部２１との係合による当接部２２ａのＸ方向の移動範囲の制限を受けることなく載置面２１ａの縁の内側に当接部２２ａを進入させることができると共に載置面２１ａの縁の内側に位置する用紙Ｅに対して基部２２ｂを当接させることにより用紙Ｅの位置調整を行うことができる。
【００４７】
また、延設部２２ｃは、Ｘ方向について載置面２１ａの縁の外側に位置する用紙Ｅの端部を載置面２１ａと同一平面上で担持する担持面２２ｆを備えるので、用紙Ｅの一部が載置面２１ａの縁の外側に位置する大きさの用紙Ｅである場合にも、用紙Ｅを載置面２１ａに沿って担持することができる。
【００４８】
また、延設部２２ｃを移動前の位置に戻すように延設部２２ｃを付勢する付勢部２２ｄを備えるので、延設部２２ｃと載置部２１との当接が解消された場合、延設部２２ｃは自動的に移動前の位置に戻ることができ、延設部２２ｃの移動動作及び移動前の位置への回帰動作の両方を機械的な仕組みにより自動的に行うことができる。
【００４９】
なお、本発明の実施の形態は、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００５０】
例えば、上記の実施形態における用紙処理部２３は、所定の用紙処理として綴じを行っているが、一例であり、これに限られるものではない。所定の用紙処理は、例えば、綴じ、穴あけ、用紙の折り及び裁断のいずれか一つ以上を含む。
以下、具体例を挙げて説明する。
【００５１】
所定の用紙処理のうち、穴あけは、例えば、搬送部４により搬送された用紙Ｅにパンチ穴をあける処理である。パンチ処理を行う用紙処理部２３は、例えば、用紙Ｅにパンチ穴を穿つ円柱状のブレードや、当該ブレードを用紙Ｅの面部に対して直交する方向に動作させる駆動部等を有し、ブレードを動作させて用紙Ｅに穴をあける。
【００５２】
所定の用紙処理のうち、用紙の折りは、例えば、搬送部４により搬送された用紙Ｅを折り畳む処理である。折り畳みの具体的内容として、例えば、２つ折り処理、Ｚ折り処理、３つ折り処理等がある。用紙の折りを行う用紙処理部２３は、例えば、折り目に沿った位置で用紙Ｅの一部を固定するように押さえる押さえ部や、押さえ部により押さえられていない側の用紙Ｅを押さえ部に沿って折り曲げるよう用紙Ｅを付勢する折り曲げ部等を有し、折り畳みの具体的内容に応じた位置及び回数、用紙Ｅを折り曲げる。
【００５３】
所定の用紙処理のうち、裁断は、例えば、搬送部４により搬送された用紙Ｅの一部を切り落とす処理である。裁断を行う用紙処理部２３は、例えば、用紙Ｅに切れ目を入れる又は切断するための刃や、当該刃を用紙Ｅに対して動作させる駆動部等を有し、刃を動作させて用紙の一部を切り落とす。
なお、所定の用紙処理は、綴じ、穴あけ、用紙の折り又は裁断のいずれか一つに限らない。位置を調整された用紙Ｅに対して、複数の種類の用紙処理が行われるようにしてもよい。
【００５４】
上記のように、所定の用紙処理は、綴じ、穴あけ、用紙の折り及び裁断のいずれか一つ以上を含むので、綴じ、穴あけ、用紙の折り及び裁断の少なくともいずれかの処理の前に必要となる用紙処理部２３に対する用紙Ｅの位置調整に本発明による位置調整装置を適用することができ、用紙処理が施される用紙のサイズによらず位置調整を行うことができる。
【００５５】
また、上記の実施形態における用紙処理装置２０は、専用の制御部２５を備えているが、本体部１０の画像処理部６等により動作が制御されるようにしてもよい。
また、上記の実施形態では、画像形成装置１００は、本体部１０と用紙処理装置２０とが連結された構成となっているが、一つの筐体内に画像形成部と用紙処理部が含まれる構成としてもよい。
【００５６】
また、上記の実施形態における当接部２２ａは、載置部２１を挟むように二つ設けられているが、一例であり、これに限られるものではない。例えば、載置部に設けられた固定の用紙寄せ部に対して近接または離隔するよう設けられて用紙寄せ部と協働して用紙を挟み込むように用紙の縁と当接することにより用紙の位置を調整する一つの当接部を有する位置調整装置に対して本発明を適用してもよい。また、用紙を挟み込むよう設けられた二つの当接部を複数有する位置調整装置に対して本発明を適用してもよい。
【００５７】
また、当接機構は、延設部２２ｃを基部２２ｂに対して回動させる構成に限らない。載置面の縁の内側に位置する前記用紙と当接する場合において、載置面２１ａの縁の内側に進入する基部２２ｂの移動及び移動した基部２２ｂと用紙Ｅとの当接が妨げられないように延設部２２ｃが移動するよう設けられた構成であればよい。
例えば、基部２２ｂに対して延設部２２ｃがＸ方向に移動可能に設けられてもよい。この場合、例えば、延設部２２ｃをＸ方向に移動可能に支持するガイドレール等を基部２２ｂと延設部２２ｃとを連結する部分に設ける。これにより、載置面の縁の内側に位置する前記用紙と当接する場合において、延設部２２ｃと載置部２１との当接により延設部２２ｃが載置部２１と当接した位置で留まる一方、基部２２ｂは延設部２２ｃの位置によらず載置面２１ａの縁の内側に進入して用紙Ｅと当接することができる。
また、延設部２２ｃの一部又は全部や、延設部２２ｃと基部２２ｂとを連結する部材が可撓性を有することにより、延設部２２ｃと載置部２１との当接により基部２２ｂに対する延設部２２ｃの位置を変化させるようにしてもよい。
【００５８】
また、本発明による位置調整装置は、用紙処理装置に限らず、用紙の位置の調整が必要とされる各種の構成（例えば、装置等）に対して適用することができる。
例えば、排紙トレイ上に排紙された用紙の位置を調整するための装置に本発明を適用してもよい。
【符号の説明】
【００５９】
１０    本体部
２０    用紙処理装置
２１    載置部
２１ａ  載置面
２１ｂ  係止部
２１ｃ  当接ローラ
２２    調整部
２２ａ  当接部
２２ｂ  基部
２２ｃ  延設部
２２ｄ  付勢部
２２ｅ  ガイド部材
２２ｆ  担持面
２２ｇ  回動部
２３    用紙処理部
２５    制御部
１００  画像形成装置
Ｅ      用紙
【図１】
2013018579.tif 000003
【図２】
2013018579.tif 000004
【図３】
2013018579.tif 000005
【図４】
2013018579.tif 000006
【図５】
2013018579.tif 000007
【図６】
2013018579.tif 000008
【図７】
2013018579.tif 000009